(57)【要約】【課題】ダムウェーターで荷物を運搬する際に、送り側および受取側で荷物を作業台等に置くことなく作業ができるようにすることである。【解決手段】かご１前面の開口２を開閉するかご戸３ａ、３ｂと、建物の各階の出し入れ口５を開閉する出し入れ口戸６ａ、６ｂを、電動で連動して開閉するものとするとともに、各階の出し入れ口５の近傍にフットスイッチ１０を設け、作業者が両手で荷物を持っていても、フットスイッチ１０を作動させて、かご１を自階に呼んだり、かご戸３ａ、３ｂおよび出し入れ口戸６ａ、６ｂを開閉させたりできるようにすることにより、送り側と受取側のいずれでも、作業者が運搬作業の途中で荷物を作業台等に置くことなくスムーズに作業を行えるようにしたのである。【選択図】図１
2006036373.tif 000002
【特許請求の範囲】
【請求項１】
建物内に設けられた昇降路を昇降するかごと、このかごの荷物出し入れ用の開口を開閉するかご戸と、前記昇降路に通じるように建物の各階の内壁にあけられた出し入れ口を開閉する出し入れ口戸とを備えたダムウェーターにおいて、前記かご戸および各階の出し入れ口戸を電動で開閉するものとし、前記各階の出し入れ口の近傍に、前記かごをそれぞれの階に呼んで停止させる操作と、前記かご戸およびそれぞれの階の出し入れ口戸を開閉させる操作とを行うフットスイッチを設けたことを特徴とするダムウェーター。
【請求項２】
前記フットスイッチを、前記出し入れ口の周囲の建物内壁に収納したことを特徴とする請求項１に記載のダムウェーター。
【請求項３】
請求項１または２に記載のダムウェーターの運転方法において、前記かごが停止していない階で前記フットスイッチを作動させたときは、前記かごをその階に呼んで停止させた後、前記かご戸およびその階の出し入れ口戸を開き、前記かごが停止している階で前記フットスイッチを作動させたときには、前記かご戸およびその階の出し入れ口戸の開閉を行うようにしたことを特徴とするダムウェーターの運転方法。
【発明の詳細な説明】
【技術分野】
【０００１】
本発明は、建物内に設けられた昇降路を昇降するかごで比較的小さい荷物を運搬する小荷物専用昇降機（以下、「ダムウェーター」と記す。）とその運転方法に関する。
【背景技術】
【０００２】
複数階の店舗やオフィス等の建物に設置されるダムウェーターは、建物内に設けられた昇降路を昇降するかごにより、上下階間で料理や書類等の比較的小さい荷物を運搬するもので、かごの荷物出し入れ用の開口を開閉するかご戸や、昇降路に通じるように建物の各階の内壁にあけられた出し入れ口を開閉する出し入れ口戸を手動で開閉するタイプのものが多い。また、かごの昇降操作は、通常、出し入れ口の近傍に設けられた操作盤の押しボタンで行うようになっている（例えば、非特許文献１参照。）。
【０００３】
このようなダムウェーターによる荷物の運搬は、まず、荷物を送る側の作業者が、操作盤のボタンを押して自階にかごを呼ぶ。そして、人手で出し入れ口戸およびかご戸を開き、荷物をかごに搬入して各戸を閉めた後、再び操作盤のボタンを押してかごを送り先の階へ移動させる。かごが送り先階に到着すると、受取側の作業者が、各戸を開いて荷物を搬出した後、次の運搬に備えて各戸を閉じておく。
【０００４】
しかしながら、上記の運搬方法では、荷物が料理を載せた盆や書類の束等、両手で持たざるをえないようなものである場合、送り側の作業者は、出し入れ口付近まで運んできた荷物を一旦作業台等に置かなければ、操作盤のボタンを押してかごを自階に呼ぶことも、出し入れ口戸とかご戸を開くこともできない。また、受取側の作業者も、荷物搬出後に各戸を閉じる際には、搬出した荷物を一旦作業台等に置かねばならない。このため、送り側と受取側のいずれでも作業者が不便に感じることが多いし、作業能率が低下して、例えば厨房と食堂との間で多くの料理を連続的に運搬する場合に食堂での配膳が遅くなる等の問題が生じることもある。
【非特許文献１】「DUMBWAITER」、クマリフト株式会社、カタログ、２００３年
【発明の開示】
【発明が解決しようとする課題】
【０００５】
本発明の課題は、ダムウェーターで荷物を運搬する際に、送り側および受取側で荷物を作業台等に置くことなく作業ができるようにすることである。
【課題を解決するための手段】
【０００６】
上記の課題を解決するために、本発明は、建物内に設けられた昇降路を昇降するかごと、このかごの荷物出し入れ用の開口を開閉するかご戸と、前記昇降路に通じるように建物の各階の内壁にあけられた出し入れ口を開閉する出し入れ口戸とを備えたダムウェーターにおいて、前記かご戸および各階の出し入れ口戸を電動で開閉するものとし、前記各階の出し入れ口の近傍に、前記かごをそれぞれの階に呼んで停止させる操作と、前記かご戸およびそれぞれの階の出し入れ口戸を開閉させる操作とを行うフットスイッチを設けた構成を採用した。
【０００７】
すなわち、かご戸および各階の出し入れ口戸を電動式とするとともに、各階の出し入れ口の近傍にフットスイッチを設け、作業者が両手で荷物を持っていても、フットスイッチを作動させて、かごを自階に呼んだり、かご戸および出し入れ口戸を開閉させたりできるようにすることにより、送り側と受取側のいずれでも、作業者が荷物を作業台等に置くことなく運搬作業を行えるようにしたのである。
【０００８】
前記フットスイッチは、前記出し入れ口の周囲の建物内壁に収納することが好ましい。
【０００９】
また、運転方法の発明では、上述した構成のダムウェーターのかごが停止していない階で前記フットスイッチを作動させたときは、前記かごをその階に呼んで停止させた後、前記かご戸およびその階の出し入れ口戸を開き、前記かごが停止している階で前記フットスイッチを作動させたときには、前記かご戸およびその階の出し入れ口戸の開閉を行うようにした。
【発明の効果】
【００１０】
本発明のダムウェーターは、上述したように、かご戸および各階の出し入れ口戸を電動式とし、各階の出し入れ口の近傍に設けたフットスイッチで、かごを自階に呼んだり、かご戸および出し入れ口戸を開閉させたりできるようにしたものであるから、作業者が運搬作業の途中で荷物を作業台等に置くことなくスムーズに作業を行うことができる。また、従来よりも運搬作業の能率が向上するので、例えば厨房と食堂との間の料理の運搬等、特に運搬時間が短いことが望ましい用途に対して、有効に適用することができる。さらに、料理の運搬に適用した場合は、作業者が各戸に触れる必要がないこと、また料理を作業台等に置かなくてもよいことから、衛生面での改善も図れる。
【００１１】
前記フットスイッチを出し入れ口の周囲の建物内壁に収納すれば、フットスイッチを誤作動させることが少なくなるし、出し入れ口周辺の見栄えも良くなる。
【００１２】
また、運転方法の発明によれば、かごが停止していない階から荷物を送るときは、一度フットスイッチを作動させるだけで、かごを自階に呼んでかご戸と出し入れ口戸を開くことができるので、運搬作業がよりスムーズになる。さらに、フットスイッチは、作動時のかごの位置と各戸の状態に応じてかごの移動や各戸の開閉を操作できるようにしたので、かご呼び用や戸開閉用を別々に設ける必要がなく、誤操作のおそれがない。
【発明を実施するための最良の形態】
【００１３】
以下、図面に基づき、この発明の実施形態を説明する。このダムウェーターは、図１に示すかご１を建物内に設けられた昇降路（図示省略）で昇降させて、かご１に載せた比較的小さい荷物を運搬するもので、かご１前面に形成された荷物出し入れ用の開口２を開閉する上下のかご戸３ａ、３ｂと、前記昇降路に通じるように建物の各階の内壁４にあけられた出し入れ口５を開閉する上下の出し入れ口戸６ａ、６ｂとが、電動で連動して開閉するようになっている。また、各階の出し入れ口５の周囲には、出し入れ口５を形成する三方枠７の前面に送り先階ボタン８ａを有する操作盤８が設けられ、建物内壁４の床面９近傍位置にフットスイッチ１０が設けられている。
【００１４】
前記フットスイッチ１０は、図２（ａ）に示すように、前面が開口したスイッチボックス１１と、スイッチボックス１１内に両側部を回動自在に取り付けられたスイッチ板１２と、スイッチ板１２の背面に取り付けられたレバー１３と、レバー１３を介してスイッチ板１２を前面側へ回動させる方向に付勢するばね１４と、スイッチ板１２の前面側への回動を規制するストッパ１５と、スイッチボックス１１の奥側の内面の下部に取り付けられたスイッチ本体１６とで構成されている。そして、図１に示したように、スイッチボックス１１の開口の周縁に形成された張出部１１ａを除いて、全体が建物内壁４に収納されている。このため、足踏み式のペダルのようなフットスイッチを床に置く場合に比べて、誤って作動させる可能性が少ないし、出し入れ口５周辺の見栄えも良い。
【００１５】
前記スイッチボックス１１は、上面の幅方向中央部にばね１４の一端を支持するばね押え板１７が、背面の幅方向中央部にストッパ１５がそれぞれ取り付けられており、ストッパ１５取付位置の直上には、レバー１３を通す孔１１ｂがあけられている。また、前記スイッチ板１２は、下端が背面側へコの字状に折り曲げられており、この折曲部の先端に突片１２ａがスイッチ本体１６と対向するように設けられている。
【００１６】
このフットスイッチ１０では、通常は、図２（ａ）に示したように、スイッチ板１２が、レバー１３を介してばね１４に付勢されるとともにストッパ１５に回動を規制されて、スイッチボックス１１の開口をほぼ塞いだ状態で支持されている。そして、図２（ｂ）に示すように、作業者が足でスイッチ板１２を押すと、スイッチ板１２がレバー１３とともにばね１４の力に抗して回動し、その下端の突片１２ａがスイッチ本体１６の突部１６ａを押し込むことにより、スイッチ本体１６が作動する。なお、スイッチ本体の取付位置、取付方法や形状は、図２に示した例に限らず、種々の設計が可能である。
【００１７】
また、図示は省略するが、スイッチ本体１６はこのダムウェーターの制御装置に電気的に接続されており、後述するように、作動時のかご１の位置とかご戸３ａ、３ｂおよび出し入れ口戸６ａ、６ｂの状態に応じて、かご１の移動や各戸３ａ、３ｂ、６ａ、６ｂの開閉が行われるようになっている。このため、かご呼び用や戸開閉用のスイッチを別々に設ける必要がなく、誤操作のおそれがない。
【００１８】
図３および図４（ａ）、（ｂ）は、フットスイッチ１０の変形例を示す。この変形例では、スイッチボックス１１の底部が前面の開口に向かって下方に傾斜しており、その内面の中央部にスイッチ本体１６が取り付けられている。一方、スイッチ板１２は、下半部が前面側へ折り曲げられており、その下面に突片１２ａがスイッチ本体１６と対向するように設けられている。また、下半部の下面および上半部に形成されたコの字状の折曲部の背面には、それぞれストッパーゴム１８が取り付けられ、スイッチボックス１１内面に当接するときの衝撃が緩和されるようになっている。このスイッチ板１２は、通常は、図４（ａ）に示すように、突片１２ａがスイッチ本体１６と接触しないようにスイッチボックス１１の奥側面に取り付けたばね１４に支持されており、作業者に足で押されると、図４（ｂ）に示すように、ばね１４の力に抗して回動し、突片１２ａでスイッチ本体１６の突部１６ａを押し込んでスイッチ本体１６を作動させる。
【００１９】
なお、フットスイッチは、上述したように作業者が足で機械的に作動させるものに限らず、例えば、スイッチボックス内に光学式のセンサを配し、作業者がスイッチボックスに足先を踏み入れることによって作動するようにしたもの等も採用することができる。
【００２０】
次に、このダムウェーターの運転方法について説明する。このダムウェーターの制御装置は、建物のいずれかの階でフットスイッチを作動させると、図５に示すように、まず、フットスイッチが作動した階の識別（Ｓ１）と、かご位置の判別（Ｓ２）を行い、フットスイッチ作動階にかごが停止していないときは、かごをその階に移動させて停止させ（Ｓ３）、続いてかご戸とその階の出し入れ口戸を開く（Ｓ４）。一方、かごが停止している階でフットスイッチを作動させたときは、かご戸およびその階の出し入れ口戸の状態を判別して（Ｓ５）、これらの各戸が閉じていれば開き（Ｓ６）、開いていれば閉じる（Ｓ７）。
【００２１】
また、図５には示していないが、安全性確保のため、かごの移動（Ｓ３）は、各階の出し入れ口戸およびかご戸が閉じた状態でなければ行われない。さらに、各階における各戸の閉動作（Ｓ７）の途中でフットスイッチを作動させたときは即座に開動作に切り替え、逆に開動作（Ｓ４、Ｓ６）の途中でフットスイッチを作動させたときは各戸を一旦開限まで開いてから閉動作に切り替える機能も組み込まれている。
【００２２】
このダムウェーターでかごが停止していない階から荷物を送るときは、まず、フットスイッチを作動させることにより、かごを自階に呼んでかご戸と出し入れ口戸を開く。そして、荷物を搬入した後、再度フットスイッチを作動させて各戸を閉じ、送り先階ボタンを押して送り先の階へかごを移動させる。一方、荷物を受け取るときは、自階にかごが移動してきて停止しているので、フットスイッチを作動させて各戸を開き、荷物を搬出する。その後、次の運搬に備えて、再度フットスイッチを作動させて各戸を閉めておく。
【００２３】
従って、送り側では、作業者が両手で荷物を持っていても、一度フットスイッチを作動させるだけで、かごを自階に呼んでかご戸と出し入れ口戸を開くことができるし、受取側では、かごから搬出した荷物を両手で持ったまま、フットスイッチを作動させて各戸を閉めておくことができる。このため、送り側と受取側のいずれでも、運搬作業の途中で荷物を一旦作業台等に置くことがなくなり、従来に比べて運搬作業がスムーズになって作業能率が向上する。また、厨房と食堂との間で料理を運搬する場合には、作業者が各戸に触れる必要がなく、料理を作業台等に置かなくてもよいので、衛生面での改善も図れる。
【００２４】
なお、上述した実施形態では、荷物を持っていないとき（送り側での荷物搬入後および受取側での荷物搬出前）の各戸の開閉もフットスイッチで行うようにしたが、各戸の開閉を行う押しボタンをフットスイッチと別に操作盤に設け、荷物のないときや荷物を片手で持てるときは、この押しボタンを使用するようにしてもよい。
【図面の簡単な説明】
【００２５】
【図１】実施形態のダムウェーターの要部の外観斜視図
【図２】図１のダムウェーターのフットスイッチの縦断面図
【図３】図１のダムウェーターのフットスイッチの変形例の外観斜視図
【図４】図３のフットスイッチの縦断面図
【図５】図１のダムウェーターのフットスイッチ作動時の動作を説明するフローチャート
【符号の説明】
【００２６】
１  かご
３ａ、３ｂ  かご戸
５  出し入れ口
６ａ、６ｂ  出し入れ口戸
８  操作盤
８ａ  送り先階ボタン
１０  フットスイッチ
１１  スイッチボックス
１２  スイッチ板
１３  レバー
１４  ばね
１５  ストッパ
１６  スイッチ本体
１７  ばね押え板
１８  ストッパーゴム
【図１】
2006036373.tif 000003
【図２】
2006036373.tif 000004
【図３】
2006036373.tif 000005
【図４】
2006036373.tif 000006
【図５】
2006036373.tif 000007